(57)【要約】      （修正有）【課題】シート本体に流動体を容易に注入すること。流動体の内周面への集中回避性及びシート本体の形態保持性を十分に得ること。【解決手段】シート本体５と、このシート本体５に形成された中空部６に連通する注入口を介して充填された流動体と、流動体の注入口を封止する第１の栓部材とから成るターンテーブルシートＹであって、シート本体５の環状周壁部に注入針の先端部の外径よりも大径の注入口を形成し、この注入口付近に流動体の流入と同時に空気を外部に排出する空気排出口１０を形成する。空気排出口１０は、第２の栓部材１１で封止されている。【選択図】図４
2020126702.tif 000002
【特許請求の範囲】
【請求項１】
中心部にスピンドル用の嵌合芯部を有し、金属基板を用いないで扁平状に形成されたシート本体と、このシート本体に形成された中空部に連通する注入口を介して充填された流動体と、前記注入口を封止する第１の栓部材とから成るターンテーブルシートであって、前記シート本体の環状周壁部に注入針の先端部の外径よりも大径の注入口を形成し、この注入口付近に前記流動体の流入と同時に空気を外部に排出する空気排出口を形成し、この空気排出口は第２の栓部材で封止されているターンテーブルシート。
【請求項２】
請求項１のターンテーブルシートに於いて、スピンドル用の嵌合芯部を有する前記シート本体は、一側表面板と、この一側表面板と対向する他側表面板と、前記各表面板の間に設けられた環状周壁部とを有し、前記環状周壁部の内周面にその基端部が一体的に設けられた、又は前記内周面にその基端部が一体形成されたかのいずれかの所定長の突出部が設けられ、該所定長の突出部は、ターンテーブルが回転した時に、その遠心力で前記流動体が前記内周面に集中しないように作用する障壁であること特徴とするターンテーブルシート。
【請求項３】
請求項１のターンテーブルシートに於いて、スピンドル用の嵌合芯部を有する前記シート本体は、一側表面板と、この一側表面板と対向する他側表面板と、前記各表面板の間に設けられた環状周壁部とを有し、前記環状周壁部の内周面にその基端部が一体的に設けられた、又は前記内周面に一体形成されたかのいずれかの所定長の突出部は、前記シート本体の中空部を形成する上方及び下方の対向内面に密に接触した状態か、又は前記対向内面と一体の状態かのいずれかで、前記シート本体の半径内方向に延び、その突出先端部にスピンドル用の嵌合芯部が設けられていること特徴とするターンテーブルシート。
【請求項４】
請求項１のターンテーブルシートに於いて、前記環状周壁部の内周面にその基端部が一体的に設けられたか、又は前記内周面にその基端部が一体形成されたかのいずれかの所定長の突出部が、周方向に所定間隔を有して複数個設けられていること特徴とするターンテーブルシート。
【請求項５】
請求項４のターンテーブルシートに於いて、所定長の突出部は、平面視、直線状、弧状、クランク状のいずれかであること特徴とするターンテーブルシート。
【請求項６】
請求項１のターンテーブルシートに於いて、前記シート本体は、その環状周壁部の内周面にその基端部が一体的に設けられた、又は前記内周面に一体形成されたかのいずれかの所定長の突出部を有し、この突出部を基準として、一方側に前記注入口が形成され、他方側に前記空気排出口が形成されていること特徴とするターンテーブルシート。
【請求項７】
請求項１のターンテーブルシートに於いて、スピンドル用の嵌合芯部を有する前記シート本体は、一側表面板と、この一側表面板と対向する他側表面板と、前記各表面板の間に設けられた環状周壁部とを有し、前記スピンドル用の嵌合芯部の同心円上に前記環状周壁部の内周壁から分離した複数個の突出部が、前記一側表面板又は前記他側表面板の何れかの内面に形成され、これらの突出部は、ターンテーブルが回転した時に、その遠心力で前記流動体が前記内周面に集中しないように作用する障壁であること特徴とするターンテーブルシート。
【発明の詳細な説明】
【技術分野】
【０００１】
本発明は、レコードプレーヤーのターンテーブルに載置され、レコード盤を直接的に支持するターンテーブルシートに関する。
【背景技術】
【０００２】
特許文献１には、ターンテーブルシートのシート本体に適宜に粘性流体を注入することが記載されているものの、その供給方法は、注射器を用い、ピストンを有する注射筒の先端部に装着した細長い注入針によって前記粘性流体を前記シート本体に適宜に注入することから、長時間を要し、そのために生産性が著しく低下するという問題点があった。また特許文献１は、単純な構成のシート本体なので、使用時、ターンテーブルが回転した時に、シート本体に充填された流動体が環状周壁部の内周面へ集中し、そのために反りが生ずるという問題点がある。
【０００３】
そこで特許文献２は、特許文献１と同様にシート本体の中空部に粘性物質を封入するものであるが、特許文献１の上記問題点を解消するために、シート本体の底面に金属製の基板を設けるというものである。しかしながら、特許文献２は、金属製の基板を構成要件とすることから、容易に製作することができない、安価に製作することができない等の問題点がある。
【０００４】
なお、特許文献３は出願人が提案した吸収体およびその使用方法である。この特許文献３の吸収体は固定形状の容器であり、該容器の断面波状に区画された各中空部には、注射器の注入針を用いて、有機溶剤、液体高分子材料、高分子材料の溶液のいずれかから選択される液体が充填される。
【０００５】
したがって、この特許文献３にも、注射器の注入針を用いて流体を板状容器の中空部に注入する技術が記載されている、と認めることができるものの、該容器は小型オーディオ機器や携帯電話機などの振動源に対応する筐体部分に貼付するために用いられ、電気的雑音の効率的な抑制や音の明瞭度を向上させる雑音抑制手段であるから、本発明の技術分野とは全く異なると言える（動機付けが存在しない）。
【先行技術文献】
【特許文献】
【０００６】
【特許文献１】特開昭５０−１３９７０１号公報の第２図乃至第４図、
【特許文献２】特開昭５１−１３１６０２号公報
【特許文献３】特開２０１２−７７８９５号公報
【発明の概要】
【発明が解決しようとする課題】
【０００７】
本発明の主たる目的は、特許文献１及び特許文献２の問題点に鑑み、シート本体を安価に製作することができると同時に、シート本体に流動体を容易かつ迅速に注入することができることである。第２の目的は、流動体の内周面への集中回避性及びシート本体の形態保持性を十分に得ることである。なお、その他としてハウリングの防止を付随的な課題に加えることができる。
【課題を解決するための手段】
【０００８】
本発明のターンテーブルシートは、中心部にスピンドル用の嵌合芯部を有し、金属基板を用いないで扁平状に形成されたシート本体と、このシート本体に形成された中空部に連通する注入口を介して充填された流動体と、前記注入口を封止する第１の栓部材とから成るターンテーブルシートであって、前記シート本体の環状周壁部に注入針の先端部の外径よりも大径の注入口を形成し、この注入口付近に前記流動体の流入と同時に空気を外部に排出する空気排出口を形成し、この空気排出口は第２の栓部材で封止されていることを特徴とする。このように構成すると、シート本体を安価に製作することができると同時に、シート本体に流動体を容易かつ迅速に注入することができる。
【０００９】
上記構成に於いて、スピンドル用の嵌合芯部を有する前記シート本体は、一側表面板と、この一側表面板と対向する他側表面板と、前記各表面板の間に設けられた環状周壁部とを有し、前記環状周壁部の内周面にその基端部が一体的に設けられた、又は前記内周面にその基端部が一体形成されたかのいずれかの所定長の突出部が設けられ、該所定長の突出部は、ターンテーブルが回転した時に、その遠心力で前記流動体が前記内周面に集中しないように作用する障壁であること特徴とする。このように構成すると、使用時、ターンテーブルが回転した時に、シート本体に充填された流動体が環状周壁部の内周面へ集中するのを回避することができる。また、例えば所定長の突出部又は環状周壁部に半径の内外方向にそれぞれ複数のアーム状の障壁を形成することができるので、設計の自由度が増す。
【００１０】
また上記構成に於いて、スピンドル用の嵌合芯部を有する前記シート本体は、一側表面板と、この一側表面板と対向する他側表面板と、前記各表面板の間に設けられた環状周壁部とを有し、前記環状周壁部の内周面にその基端部が一体的に設けられた、又は前記内周面に一体形成されたかのいずれかの所定長の突出部は、前記シート本体の中空部を形成する上方及び下方の対向内面に密に接触した状態か、又は前記対向内面と一体の状態かのいずれかで、前記シート本体の半径内方向に延び、その突出先端部にスピンドル用の嵌合芯部が設けられていること特徴とする。このように構成すると、流動体の内周面への集中回避性及びシート本体の形態保持性を十分に得ることである。さらに、発明の課題に対応する効果を確実にするめたに、好ましくは、前記環状周壁部の内周面にその基端部が一体的に設けられたか、又は前記内周面にその基端部が一体形成されたかのいずれかの所定長の突出部が、周方向に所定間隔を有して複数個設けられていること特徴とする。また、所定長の突出部は、平面視、直線状、弧状、クランク状のいずれかであること特徴とする。さらに、前記シート本体は、その環状周壁部の内周面にその基端部が一体的に設けられた、又は前記内周面に一体形成されたかのいずれかの所定長の突出部を有し、この突出部を基準として、一方側に前記注入口が形成され、他方側に前記空気排出口が形成されていること特徴とする。
【発明の効果】
【００１１】
本発明は、金属製基板を用いない故、シート本体を安価に製作することができると同時に、流動体の注入と空気の排出を、少なくとも注入針の先端部の外径よりも大径の注入口を利用して同時に行うので、シート本体に流動体を容易かつ迅速に注入することができる、使用時、ターンテーブルが回転した時に、シート本体に充填された流動体が環状周壁部の内周面へ集中するのを回避することができる、シート本体の形態保持性を十分に得ることができる等の優れた効果がある。
【図面の簡単な説明】
【００１２】
図１乃至図６は本発明の第１実施形態を示す各説明図。図７及び図８は本発明の第２実施形態を示す各説明図。図９及び図１０は本発明の第３実施形態を示す各説明図。図１１は本発明の第４実施形態を示す各説明図。図１２及び図１３は本発明の第５実施形態を示す各説明図。
【図１】第１実施形態の使用環境を示す概略説明図。
【図２】ターンテーブルシートの平面視からの説明図。
【図３】ターンテーブルシートの概略断面説明図。
【図４】主要部の分解斜視図（栓部材も含む）。
【図５】流動体を流体供給手段で注入する場合の概略説明図
【図６】栓部材で封止した状態を示す説明図。
【図７】第２実施形態の図２と同様の説明図。
【図８】シートの分解斜視図（栓部材も含む）。
【図９】第３実施形態の図２と同様の説明図。
【図１０】シートの分解斜視図（栓部材も含む）。
【図１１】第４実施形態のシート本体の分解斜視図。
【図１２】第５実施形態のシート本体を構成する一側表面板の一部を切り欠いた平面視からの説明図。
【図１３】第５実施形態のシート本体を構成する一側表面板と他側表面板を分離した概略断面説明図。
【発明を実施するための形態】
【００１３】
図１乃至図６は、本発明の第１実施形態の各説明図である。図１はレコードプレーヤーＸの一部、ターンテーブルシートＹの一部及びレコード盤Ｚを示す概略説明図である。
まず、この図１に於いて、１はレコードプレーヤーＸの円盤状の支持台で、この支持台１の上面に円盤状のターンテーブル２が回転自在に設けられている。３は前記支持台の中心部に設けられた接続部で、この接続部には、垂直方向にセンタ・スピンドル４が設けられている。図示しない駆動源の駆動力によりターンテーブル２が回転する。したがって、このターンテーブル２の上面に載置されたターンテーブルシートＹ、及び該ターンテーブルシートＹの上面に設置されたレコード盤Ｚも同方向に回転する。
【００１４】
次に、図２はターンテーブルシートＹの平面視からの説明図、図３はターンテーブルシートＹの概略断面説明図、図４はターンテーブルシートＹの分解斜視図である。これらの図を参照にすると、ターンテーブルシートＹ（以下、「シートＹ」という）は、中心部にセンタ・スピンドル用の嵌合芯部を有するシート本体５と、このシート本体５に形成された中空部６に連通する注入口７を介して充填された流動体８と、前記注入口７を封止する第１の栓部材９とを有するものの、本実施形態では、前記注入口７は、注入の容易性を考慮してシート本体５の環状周壁部５ｃに形成されている。また注入の迅速性を考慮して前記注入口付近に中空部６に対する流動体８の流入と同時に空気を外部に排出する空気排出口１０が形成されている。そして、空気排出口１０は、前述した第１の栓部材９と同一形態の第２の栓部材１１で封止されている。
【００１５】
なお、前記注入口７は、普通一般に病院で使用されている注射筒の先端部に装着される注入針の先端部の外径よりも物理的に大きい内径であり、好ましくは前記細い針の外径の二倍乃至は十倍程度であり、さらに好ましくは二倍乃至は六倍程度であり、望ましくは二倍乃至五倍程度である。加えて、好ましくは、例えば図５で示すように細長い可撓性のチューブの一端部を注射筒の先端部に嵌着して流動体８をシートＹに入れる。これにより、発明の課題を可能な限り容易に達成することができる。
【００１６】
しかして、実施形態では、例えば図４で示すように、可撓性かつ弾性の金属基板を用いないで扁平状に形成されたシート本体５は、上側の一側表面板５ａと、この一側表面板５ａと対向する下側の他側表面板５ｂと、前記各表面板５ａ、５ｂの間に設けられた環状周壁部５ｃとを有し、前記環状周壁部５ｃの内周面にその基端部１２ａが一体的に設けられた、又は前記内周面にその基端部が一体形成されたかのいずれかの所定長の突出部１２が設けられ、該所定長の突出部１２は、ターンテーブルが回転した時に、その遠心力で流動体８が前記内周面に集中しないように作用する障壁である。
【００１７】
付言すると、所定長の突出部１２は、遠心力で流動体８が環状周壁部５ｃの内周面に集中しようとした場合に、該突出部１２が延在する方向へ流動体８を案内する抵抗（反力）片としての役割を果たす。したがって、他の実施形態で説明するように、突出部１２の長さ、太さや細さ、形状、その数や位置等は、発明の課題を逸脱しない範囲で任意に設計し得る事項である。
【００１８】
好ましくは、シート本体５の上側の一側表面板５ａ及び下側の他側表面板５ｂに形態保持性（反り防止）を付与するために、所定長の突出部１２は、シート本体５の中空部６を形成する上方及び下方の対向内面に密に接触した状態か、又は前記対向内面と一体の状態かのいずれかで、前記シート本体５の半径内方向に延び、その突出先端部１２ｂに環状のスピンドル用の嵌合芯部１３が設けられている。したがって、シート本体５の全体的な形態保持性（反り防止）を付与するためには、例えば前記環状の嵌合芯部１３の外周面に複数本或いは放射状に所定量延びる図示しない枝状突起を形成しても良い。
【００１９】
さらに、実施形態では、中空部６に対する流動体８の注入容易性を図るために、前記シート本体５は、所定長の突出部１２を基準として、一方側に普通一般の注入針の先端部の外径よりも大径の注入口７が形成され、他方側に注入針の外径よりも大径の空気排出口１０が形成されている（図２、図５等参照）。
【００２０】
次に、図５は流動体８をシート本体５に操作ピストン２０を有する流体供給手段２１を用いて注入する場合の概略説明図である。流動体８をシート本体５に入れる場合には、注入口７及び空気排出口１０が上方に来るようにシート本体５を略縦或いは傾倒状態にする。流体供給手段２１は、例えば流動体８としての粘性液体、粘性を有しない水、粘性物質と水の混合物或いは非金属製の有機溶剤等を、先端部に注入針を有しない反面、例えば注射筒２１ａ、これに内嵌合する操作ピストン２１ｂ及び前記注射筒２１ａの短径先端部に一端部が嵌着した可撓性の細いチューブ２１ｃから成る注射筒状の流体供給手段２１を用いて注入する。その時、前記注入口７及び空気排出口１０を介して、流動体８の内部流入と同時に空気ａが外部に排出される。つまり、供給と排出が同時に行われる。
【００２１】
なお、上記非金属製の有機溶剤は、例えばジメチルスルホキシド、アセトン、アセトニトリル、１，３−ジメチル−２−イミダゾリジノン、Ｎ，Ｎ−ジメチルホルムアミド、Ｎ−メチル−２−ピロリドン、ＨＭＰＡ、スルホラン、ジメチルスルホンのいずれかを適宜に選択することができる。
【００２２】
最後に図６は、シート本体５の注入口７及び空気排出口１０を第１及び第２の栓部材９、１１で封止した状態を示す説明図である。栓部材９、１１で封止する場合、例えば図示しない密着性の良い接着剤や封止材を利用するのが望ましい。これにより、本発明の「シートＹ」が完成する。
【００２３】
ところで、シート本体５の材質に関しては、防振性、安価性等を考慮して、可撓性及び弾性を有するもの（例えば可撓性の合成ゴム）が採用されている。もちろん、合成ゴムの中に、他の物質（例えば微粒状や粉状のセラミックス）を混入したものであっても良い。また、シート本体５の上側の一側表面板５ａと下側の他側表面板５ｂ及び環状周壁部５ｃの結合態様は特に限定するものではない。
【００２４】
したがって、例えば下側の他側表面板５ｂを、その周端部に環状突起部分を有する凹所状に形成し、この環状突起部分に包まれる態様で、前記環状周壁部５ｃを前記凹所に略面一状に嵌め込んでも良い。また一側表面板５ａと他側表面板５ｂ及び環状周壁部５ｃの係合手段は、例えば接着剤が用いられている。なお、上側の一側表面板５ａ及び下側の他側表面板５ｂには、それぞれ付番の中心孔が形成されているが、これらの中心孔は、図１で示すようにスピンドル用の挿通孔である。
【実施例】
【００２５】
この欄では、第１実施形態の構成を主要部として他の構成要件を加味した第２実施形態、第３実施形態等の他の実施形態について簡単に説明する。なお、これらの実施形態の説明に当って、第１実施形態と同一の部分には同一又は同様の符号を付して重複する説明を割愛する。
【００２６】
まず、図７及び図８は第２実施形態の各説明図である。ターンテーブルシートＹ１（これを、「シートＹ１」という）は、嵌合芯部１３を有する第１の突出部１２Ａの他に、基端部から嵌合芯部１３の外周面に向かって（半径内方向に）、第２の突出部１２Ｂ、第３の突出部１２Ｃが同様に延在している。ただし、前記第２の突出部１２Ｂ及び第３の突出部１２Ｃの突出端部は前記嵌合芯部１３の外周面に接続していない。
【００２７】
この実施形態では、第１の突出部１２Ａ、第２の突出部１２Ｂ及び第３の突出部１２Ｃは、互いに略１２０度で離間している。もちろん、突出部の本数は、この実施形態に限らず、合計２本、又は４本以上であっても良い。要するに発明の課題（流動体の内周面への集中回避性及びシート本体の形態保持性）を、それなりに達成することができるのであれば、突出部の本数、突出部の平面視形状（直線状、弧状、クランク状）、突出部の長さ、突出部の太さや細さ等は発明の本質的事項ではない。
【００２８】
第２実施形態のシートＹ１は、中空部６が合計３つに区分けされ、それぞれ区分けされた流体室Ａ、Ｂ、Ｃは互いに連通状態であるから、一つの注入口７から中空部６を構成する前記流体室Ａへと内部の空気が外部に出て行くのに対応して入り込んだ流動体８は次の前記流体室Ｂに流れ込み、該流体室Ｂに流れ込んだ前記流動体８は、内部の空気が外部に出て行くのに対応して前記流体室Ｃへとそれぞれ流れ込むことが可能である。このように構成すると、上記発明の課題に対応する発明の効果を、第１実施形態よりも高めることができる。
【００２９】
次に、図９及び図１０は第３実施形態の各説明図である。この第３実施形態のターンテーブルシートＹ２（これを、「シートＹ２」という）は、前述した第２実施形態のシートＹ１に、さらに形態保持性（反り防止）を付与するために他の構成を加味したものである。すなわち、例えば図８と図１０を対比すると明らかなように、嵌合芯部１３の外周面に、例えば合計３本の枝状支持片１４が半径外方向に放射状に一体的に接続或いは形成されている。なお、合計３本の枝状支持片１４の突出端部は、環状周壁部５ｃの内周面及び第２の突出部１２Ｂ及び第３の突出部１２Ｃには接続していない。
【００３０】
したがって、中空部６に流れ込んだ流体８は、いわば自由電子の如く、内部空気が出るのに対応して流体室Ａから流体室Ｂに、流体室Ｂから流体室Ｃへとそれぞれ流れ込むことが可能である。このように構成すると、上記発明の課題に対応する発明の効果を、第２実施形態よりも高めることができる。
【００３１】
次に図１１は第４実施形態の説明図である。この第４実施形態のターンテーブルシートＹ３（これを、「シートＹ３」という）が、例えば前記第２実施形態と主に異なる点は、嵌合芯部１３第１の突出部１２の突出先端部ではなく、下側の他側表面板５ｂの内面中央部に一体的に設けたことである。このように本発明の実施形態を設計変更しても、本発明と実質的に同一の発明である。
【００３２】
最後に図１２及び図１３は本発明の第５実施形態のターンテーブルシートＹ４（これを、「シートＹ４」という）を示す各説明図である。この第５実施形態のシートＹ４が第１実施形態と主に異なる事項は、（ａ）他側表面板５ｂの周縁部に環状周壁部５ｃが一体成形されている点、（ｂ）他側表面板５ｂの内面、例えば図１３を基準にすると、他側表面板５ｂの一側表面板５ａと対向する上面に、複数個の突起部１２Ｄが一体成形され、少なくとも各突起部１２Ｄは環状周壁部５ｃの内周壁に接続していない点、（ｃ）さらに、他側表面板５ｂの内面の中央部に嵌合芯部１３が一体成形されている点である。
【００３３】
しかして、上記複数個の突起部１２Ｄについて、嵌合芯部１３の同心円上に設けられた複数個の突起部１２Ｄは、嵌合芯部１３の外周壁に最も近い合計２個から成る弧状の第１障壁と、この第１障壁に対して半径外方向に離間し、かつ合計２個から成る弧状の第２障壁と、この第２障壁に対して半径外方向に離間し、かつ合計４個から成る弧状の第３障壁とから成り、少なくとも前記第３障壁は、環状周壁部５ｃの内周壁に接続していない。
なお、上記複数個の突起部１２Ｄは、ターンテーブルが回転した時に、その遠心力で流動体が前記内周面に少しでも集中しないように作用すれば十分であることから、単数ではなく、複数個であることが望ましい。
【００３４】
また、各突起部１２Ｄの形状は、平面視弧状であるものの、弧状であることは発明の本質的事項ではなく、流動体が内周面に少しでも集中しないように作用する形状であるならば、例えば平面視波形状、平面視アングル形状、平面視Ｊ形状等の任意の形状であっても良い。
【００３５】
したがって、第５実施形態のシートＹ４は、スピンドル用の嵌合芯部１３を有するシート本体５は、一側表面板５ａと、この一側表面板と対向する他側表面板５ｂと、前記各表面板の間に設けられた環状周壁部５ｃとを有し、前記スピンドル用の嵌合芯部１３の同心円上に前記環状周壁部５ｃの内周壁から分離した複数個の突出部１２Ｄが、前記一側表面板５ａ又は前記他側表面板５ｂの何れかの内面に形成され、これらの突出部１２Ｄは、ターンテーブルが回転した時に、その遠心力で流動体８が前記内周面に集中しないように作用する障壁である。このように構成しても、第１実施形態等と同様な効果がある。
【産業上の利用可能性】
【００３６】
本発明は、レコードプレーヤーのターンテーブルシートとして利用することができる。
【符号の説明】
【００３７】
Ｙ、Ｙ１、Ｙ２、Ｙ３、Ｙ４…ターンテーブルシート（シート）、
５…シート本体、
５ａ…上側の一側表面板、
５ｂ…下側の他側表面板、
５ｃ…環状周壁部、
６…中空部、
７…注入口、
９…第１の栓部材、
８…流動体、
１０…空気排出口、
１１…第２の栓部材、
１２…所定長の突出部、１２ａ…基端部、１２ｂ…突出先端部。
１２Ａ…第２の突出部、
１２Ｂ…第２の突出部、
１２Ｃ…第３の突出部、
１２Ｄ…突起部、
１３…嵌合芯部、
１４…枝状支持片、
２１…流体供給手段。
【図１】
2020126702.tif 000003
【図２】
2020126702.tif 000004
【図３】
2020126702.tif 000005
【図４】
2020126702.tif 000006
【図５】
2020126702.tif 000007
【図６】
2020126702.tif 000008
【図７】
2020126702.tif 000009
【図８】
2020126702.tif 000010
【図９】
2020126702.tif 000011
【図１０】
2020126702.tif 000012
【図１１】
2020126702.tif 000013
【図１２】
2020126702.tif 000014
【図１３】
2020126702.tif 000015